(57)【特許請求の範囲】
【請求項１】
化粧道具に取って使用する化粧料組成物が含浸された、ポリエーテル系ウレタンフォームを含む化粧品であって、
ポリエーテル系ウレタンフォームは、網状型構造を有することを特徴とする、化粧品。
【請求項２】
ポリエーテル系ウレタンフォームの密度は、１〜３ｐｃｆであることを特徴とする、請求項１に記載の化粧品。
【請求項３】
ポリエーテル系ウレタンフォームは、７０〜１２０ｐｐｉ（１インチあたりのポア数）のポア（ｐｏｒｅ）数を有することを特徴とする、請求項１に記載の化粧品。
【請求項４】
ポリエーテル系ウレタンフォームは、アスカー硬度計基準で１０〜７０の硬度を有することを特徴とする、請求項１に記載の化粧品。
【請求項５】
ポリエーテル系ウレタンフォームは、オープンセル（ｏｐｅｎ  ｃｅｌｌ）構造を有することを特徴とする、請求項１に記載の化粧品。
【請求項６】
化粧料組成物は、Ｗ／Ｏ（油中水）型又はＯ／Ｗ（水中油）型の乳化化粧料組成物であることを特徴とする、請求項１に記載の化粧品。
【請求項７】
乳化化粧料組成物は、５０００〜１５０００ｃｐｓの粘度を有することを特徴とする、請求項６に記載の化粧品。
【請求項８】
化粧料組成物は、メイクアッププライマー、メイクアップベース、ファンデーション、パウダー、ツインケーキ、リップスティック、リップグロス、アイシャドウ、アイブロウ、コンシーラー又はブラッシャーであることを特徴とする、請求項１に記載の化粧品。
【発明の詳細な説明】
【技術分野】
【０００１】
本発明は、化粧料組成物が含浸されたポリエーテル系ウレタンフォームを含む化粧品に関する。
【背景技術】
【０００２】
かつては、化粧料組成物を主に屋内でのみ使用していたが、最近では、レジャー活動が普遍化する等、ライフスタイルが変化するに伴い、外出時にも化粧料組成物を使用する頻度が増加している。特に、紫外線遮断用化粧料組成物は、かつては大抵夏にのみ使用していたが、最近では、屋外活動の増加及び紫外線の有害性に対する認識の増加により、夏だけでなく、四季を問わず紫外線遮断用化粧料組成物を好んで使用する傾向が高まっている趨勢である。それにより、使用及び携帯に便利な化粧料組成物に対する要求もまた高まっている。
【０００３】
ポリエステル系ウレタンフォームは、プラスチックの開発が盛んであった１９４０年代後半に、ドイツの技術者が偶然開発したもので、ポリエステルをベースとしたウレタンフォームであるため、別名エステルフォーム（ＥＳＴＥＲ  ｆｏａｍ）とも呼ばれている。この生産にはそれほど高度な技術力を必要としないために、広く生産されて多様な分野、主に強い引張力が要求される分野に活用された。
【０００４】
しかし、ポリエステル系ウレタンフォームは、湿潤な環境においてよく崩れる傾向があり、小さなセル（ｃｅｌｌ）構造を有して空気透過性が低いため、ソフトさ、柔らかさ及び柔軟性が低く、化粧料組成物、特に液状の化粧料組成物を含浸させるには適さない。そこで、化粧料組成物を含浸するのに適したウレタンフォームの開発が必要とされる実情である。
【先行技術文献】
【特許文献】
【０００５】
【特許文献１】韓国公開特許第１０−２００９−０１００６４３号公報
【特許文献２】特開２００３−１２４５７号公報
【特許文献３】特開平８−３２５１２５号公報
【特許文献４】米国特許第７６１２１６０号明細書
【発明の概要】
【発明が解決しようとする課題】
【０００６】
前記問題点を解決するために、本発明は、含浸される化粧料組成物の安定性及び化粧料組成物含浸後の安定性を高く維持することができる、化粧料組成物が含浸されたポリエーテル系ウレタンフォームを含む化粧品を提供しようとするものである。
【課題を解決するための手段】
【０００７】
本発明の一側面は、化粧料組成物が含浸されたポリエーテル系ウレタンフォームを含む化粧品を提供する。
【発明の効果】
【０００８】
本発明に係るポリエーテル系ウレタンフォームを含む化粧品は、化粧料組成物含浸後にも優れた安定性を維持し、化粧料組成物の携帯性及び使用感を増加させることができる。
【図面の簡単な説明】
【０００９】
【図１】湿式ポリエーテル系ウレタンフォームの顕微鏡写真である。
【図２】Ｗ／Ｏ型乳化メイクアップ化粧料組成物を含浸させたウレタンフォームが内蔵されたパクトである。
【図３】表２のウレタンフォームの顕微鏡（倍率１０×０．３）写真である。
【図４】表３のウレタンフォームの顕微鏡（倍率１０×０．３）写真である。
【図５】実施例１、比較例１及び比較例２を５０℃で２時間保管した後の様子を示した写真である。
【発明を実施するための形態】
【００１０】
本発明の一側面は、化粧料組成物が含浸されたポリエーテル系ウレタンフォームを提供する。本発明の他の一側面において、ポリエーテル系ウレタンフォームは、化粧料組成物を入れて保持する担体として機能してよい。
【００１１】
本明細書において、「ウレタンフォーム（ｕｒｅｔｈａｎｅ  ｆｏａｍ）」は、ポリウレタン樹脂を発泡させた後、固化したものであって、「発泡ウレタン」と表現されることもある。
【００１２】
本発明の一側面において、ポリエーテル系ウレタンフォームは、ポリエステル系ウレタンフォームに比べて湿度に強く、多湿条件下においても崩れにくく、安定性が高い。また、ポリエーテル系ウレタンフォームは、ポリエステル系ウレタンフォームよりも大きなセル構造を有するため、空気透過性、ソフトさの程度、柔らかさの程度及び柔軟さの程度が高い。さらに、ポリエーテル系ウレタンフォームは、その製造費用がポリエステル系ウレタンフォームに比べて低く、経済性に優れる。
【００１３】
本発明の一側面において、ウレタンフォームは、乾式ウレタンフォーム又は湿式ウレタンフォームを含む。そのうち、湿式ポリエーテル系ウレタンフォームは、以下の表１のような性質を有する。
【００１４】
【表１】
0005465357.tif 000002
【００１５】
湿式ポリエーテル系ウレタンフォームは、一般的に、乾式ポリエーテル系ウレタンフォームに比べてポアサイズが小さく、稠密な構造を有する。乾式ポリエーテル系ウレタンフォームの表面物性は親油性であるのに対し、湿式ポリエーテル系ウレタンフォームは、湿式で発泡されてその表面物性が親水性である。湿式ポリエーテル系ウレタンフォームは、均一かつ高い多孔性の連続微細多孔（ｃｏｎｔｉｎｕｏｕｓ  ｍｉｃｒｏ‐ｐｏｒｏｕｓ）のウレタンフォームであり、油／水（ｗａｔｅｒ／ｏｉｌ）の高い吸収能を示し、自ら粒子を生産することはない。図１に、湿式ポリエーテル系ウレタンフォームの顕微鏡写真を図示した。
【００１６】
本発明の一側面において、ウレタンフォームは、クェンチ型（ｑｕｅｎｃｈｅｄ）又は網状型（ｒｅｉｃｕｌａｔｅｄ）構造を有してよい。本発明の他の一側面において、ウレタンフォームは、網状型構造を有してよく、このとき、ウレタンフォームに化粧料組成物を均一に含浸し易く、その含浸率もさらに高い。
【００１７】
本発明の一側面において、ウレタンフォームは、１〜３ｐｃｆ（ｐｏｕｎｄｓ  ｐｅｒ  ｃｕｂｉｃ  ｆｅｅｔ）、具体的には、１〜２ｐｃｆの密度を有してよい。ウレタンフォームの密度が１ｐｃｆ未満の場合には、化粧料組成物が排出されすぎて使用に不便となり得、密度が３ｐｃｆを超えると、化粧料組成物が含浸され得るポア（ｐｏｒｅ）が不足して化粧料組成物が効果的に含浸されにくくなり得る。
【００１８】
本発明の一側面において、ウレタンフォームは、７０〜１２０ｐｐｉ（ｐｏｒｅ  ｐｅｒ  ｉｎｃｈ、１インチあたりのポア数）、具体的には、７５〜９５ｐｐｉのポア数を有してよい。ウレタンフォームのポア数が７０ｐｐｉ未満であると、フォームの弾性が低く使用に不便であり、化粧料組成物の流動性を制御することが難しく、ポア数が１２０ｐｐｉを超える場合には、使用時の耐久性及び含浸された化粧料組成物の使用感が低くなり得る。
【００１９】
本発明の一側面において、ウレタンフォームは、アスカー（ＡＳＫＥＲ、製造元）硬度計（ＤＵＲＯＭＥＴＥＲ  ＨＡＲＤＮＥＳＳ測定器）（Ｆ型（Ｔｙｐｅ  Ｆ））で測定したときに、１０〜７０、具体的に、２０〜６０、より具体的に、３０〜５０のアスカー硬度を有してよい。ウレタンフォームが１０未満の硬度を有していて非常に脆い場合、パクト容器に内蔵された化粧料組成物を使用する時に使用される化粧道具、たとえばＮＢＲ（Ｎｉｔｒｉｌｅ  Ｂｕｔａｄｉｅｎｅ  Ｒｕｂｂｅｒ）パフ又は手で化粧料組成物を取る際に、ウレタンフォームに含浸させた化粧料組成物が排出されすぎることがあり、ウレタンフォームが７０を超える硬度を有していて非常に固いと、化粧料組成物が容易に排出され得ない。
【００２０】
本発明の一側面において、ウレタンフォームは、オープンセル（ｏｐｅｎ  ｃｅｌｌ）構造を有してよい。ウレタンフォームがクローズドセル（ｃｌｏｓｅｄ  ｃｅｌｌ）構造を有する場合、気泡がウレタンに閉じ込められて低粘度乳化型化粧料組成物が含浸されにくいため、オープンセル（ｏｐｅｎ  ｃｅｌｌ）の構造を有することが好ましい。
【００２１】
本発明の一側面において、ウレタンフォームに含浸され得る化粧料組成物は、液相化粧料組成物、具体的に乳化化粧料組成物を含み、より具体的にＷ／Ｏ（油中水、ｗａｔｅｒ  ｉｎ  ｏｉｌ）型又はＯ／Ｗ（水中油、ｏｉｌ  ｉｎ  ｗａｔｅｒ）型の乳化化粧料組成物を含む。
【００２２】
本発明の一側面において、乳化化粧料組成物は、低い粘度を有してよく、具体的に、５，０００〜１５，０００ｃｐｓ（Ｃｅｎｔｉ  Ｐｏｉｓｅ）、より具体的に、６，０００〜１０，０００ｃｐｓの粘度を有してよい。乳化化粧料組成物の粘度が５，０００ｃｐｓ未満であると、乳化化粧料組成物を製造した直後に油相と水相の分離が起こってウレタンフォームに均一に含浸させることが困難となり得、粘度が１５，０００ｃｐｓを超えると、皮膚に塗布したときに粘りつき、重い使用感を示して、使用に憚られ得る。
【００２３】
本発明の一側面において、化粧料組成物は、スキンケア用化粧料組成物又はメイクアップ用化粧料組成物をともに含み、具体的に、メイクアッププライマー、メイクアップベース、ファンデーション、パウダー、ツインケーキ、リップスティック、リップグロス、アイシャドウ、アイブロウ、コンシーラー、リップライナー、ブラッシャー（ｂｌｕｓｈｅｒ）、紫外線遮断剤、ローション、クリーム又はエッセンス、より具体的に、メイクアッププライマー、メイクアップベース、液相又は固相ファンデーション、パウダー、ツインケーキ、リップスティック、リップグロス、アイシャドウ、アイブロウ、コンシーラー又はブラッシャーに剤形化されてよいが、これに限定されるものではない。
【００２４】
本発明の一側面は、化粧料組成物が含浸されたポリエーテル系ウレタンフォームが内蔵された化粧品を提供する。前記化粧品は、化粧料組成物を本発明の一側面によるポリエーテル系ウレタンフォームに適用することにより、化粧料組成物が十分に充填され、化粧料組成物を長期間均質に担持することができ、化粧料組成物を取る際に適当量の化粧料組成物が排出されると同時に、長期間優れた耐久性及び安定性を維持することができる。本発明の他の一側面による化粧品は、ポリエーテル系ウレタンフォームを収納し得る下部と、鏡等が付着され得る蓋の上部を含む容器、一般的に、略して「パクト」と呼ばれる化粧品用容器で提供されてよい。パクト容器に提供されたポリエーテル系ウレタンフォームの例示写真を図２に示した。
【００２５】
以下、実施例、比較例、製造例及び試験例を挙げつつ、本発明の構成及び効果について具体的に説明する。しかし、以下の実施例、比較例、製造例及び試験例は、本発明の理解を助けるために例示の目的でのみ提供されたものであるに過ぎず、本発明のカテゴリ及び範囲がそれらによって制限されるものではない。
【００２６】
［試験例１］ウレタンフォームの特性調査
Ｗ／Ｏ型又はＯ／Ｗ型の低粘度乳化型化粧料組成物を含浸するのに適したウレタンフォームを選別するために、複数のウレタンフォームの特性を調査した。以下の表２と表３は、調査したウレタンフォームの種類及びその特性を示したものである。そして、図３と図４に、調査した各ウレタンフォームの顕微鏡（倍率１０×０．３）写真を図示した。
【００２７】
【表２】
0005465357.tif 000003
【００２８】
【表３】
0005465357.tif 000004
【００２９】
表３のポリエーテル系ウレタンフォーム１は、乾式ポリエーテル系ウレタンフォームである。
【００３０】
［試験例２］剤形安定度評価
表２と表３のウレタンフォームのうち、ポリエーテル系ウレタンフォーム１（実施例１）、ポリエステル系ウレタンフォーム２（比較例１）及びポリエステル系ウレタンフォーム３（比較例２）を選別して、Ｗ／Ｏ型乳化メイクアップ化粧料組成物を含浸させ、保管温度及び時間経過に伴う安定度を評価した。評価結果を表４及び図５に示した。図５は、実施例１、比較例１及び比較例２を５０℃で２時間保管した後の結果写真である。
【００３１】
【表４】
0005465357.tif 000005
【００３２】
前記結果から分かるように、Ｗ／Ｏ型乳化メイクアップ化粧料組成物をフォームに含浸させた場合、高温又は急激な温度変化条件において、時間の経過に伴い、比較例１と２は、ウレタンフォームが崩れ、化粧料組成物が分離され、気泡が発生する等、非常に不安定であったのに対し、実施例１は、初期状態をほぼそのまま維持して、高い安定性を示した。
このことを通じ、化粧料組成物を含浸させた場合、ポリエーテル系ウレタンフォームがポリエステル系ウレタンフォームに比べて高い安定性を示すため、化粧料組成物を含浸させるのにより適することを知ることができる。
【００３３】
［製造例１及び２］紫外線遮断用化粧料組成物の製造
以下の表５の組成のように、製造例１及び２のＷ／Ｏ型乳化紫外線遮断用化粧料組成物を製造した。
【００３４】
具体的に、紫外線遮断剤を油性成分に投入して溶解させ、乳化した後、油性成分と界面活性剤を混合し、８０℃に加温攪拌して均一にした。ここにピグメントを混合し、攪拌してさらに均一にすることにより、油相成分を準備した。別のミキサーに水相成分を混合し、８０℃に加温攪拌して完全に溶解させて水相成分を準備した。準備した水相成分を前記のように準備した油相成分にゆっくりと投入し、ホモミキサーを利用して乳化させた。５０℃まで冷却した後、皮膚保護成分及び香等を投入し、冷却して低粘度のＷ／Ｏ型乳化紫外線遮断用化粧料組成物を得た。
【００３５】
【表５】
0005465357.tif 000006
【００３６】
前記表５において、ジステアジモニウム・ヘクトライトは、増粘剤として作用し、ポリメチルメタアクリレートは、純粋な体質顔料として作用し、二酸化チタン／水酸化アルミニウム／ステアリン酸は、無機紫外線遮断剤として作用する。
【００３７】
［試験例３］ウレタンフォームの硬度による選好度評価
前記製造例１及び２をそれぞれ硬度の異なるポリエーテル系ウレタンフォームに含浸させた後、各ウレタンフォームの選好度を比較した。具体的に、女性５０人を２５人ずつ２つのグループに分け、互いに異なる硬度を有するポリエーテル系ウレタンフォームに含浸させた製造例１及び製造例２それぞれを、ＮＢＲパフで２日間皮膚に塗布するようにした後、使用感及び塗布感等を考慮した全般的な選好度を比較評価するようにした。その結果を以下の表６及び表７に示した。
【００３８】
【表６】
0005465357.tif 000007
【００３９】
【表７】
0005465357.tif 000008
【００４０】
前記結果から分かるように、製造例１及び２の組成物を使用した場合、いずれも組成物を含浸したポリエーテル系ウレタンフォームのアスカー硬度が４０であるときに選好度が最も高かった。
【００４１】
以上のとおり本発明について詳細に記述したところ、当業界の通常の知識を有する者にとって、前記具体的な記述は、ただ好ましい例示であるに過ぎず、これに本発明の範囲が制限されないことは明白である。したがって、本発明の実質的な範囲は、請求項とその等価物によって定義されると言えよう。
【図１】
0005465357.tif 000009
【図２】
0005465357.tif 000010
【図３】
0005465357.tif 000011
【図４】
0005465357.tif 000012
【図５】
0005465357.tif 000013